(57)【要約】      （修正有）【課題】犬、猫、ウサギ等の異なるペットの抜け毛やアンダーコートをピン先で確実に除去するため、ピン部材の耐久性を持たせるための、くの字部位箇所に特殊プレス加工等を施すことで、くの字部位のへたりを無くすことを可能にしたスリッカーブラシを提供する。【解決手段】犬、猫、及び、ウサギ等のペットトリミング用、及び、手入れ用品のブラッシングピン針部材６をくの字に曲げた箇所の耐久を持たせるため、くの字に曲げ箇所にリブ加工を施し、ブラッシングピン針部材の先端部位に丸み加工を施す。さらに、ブラッシングピン針部材が抜けぬように、抜け防止板５を設けブラッシングピン針部材を固定、尚且つ、接着剤、又は、粘着テープ等を施しブラッシグピン針部材が抜けぬように固定する。【選択図】図７
0003182871.tif 000002
【実用新案登録請求の範囲】
【請求項１】
犬、猫、及び、ウサギ等のペットトリミング用、手入れ用品のブラシングンピン針の耐久を持たせるために、くの字曲げた部分に、特殊プレス加工を施した構造を特徴とする密植加工からなるスリッカーブラシ。
【請求項２】
ブラシングピン針の先端部に丸み加工を施した部材からなる構造を特徴とする請求項１に記載のスリッカーブラシ。
【請求項３】
ピン部材が抜けぬ様に、抜け防止板を設けピン部材を固定する構造を有する。又は、接着剤等を施しピン部材を固定することを特徴とする請求項１，又は、２に記載のスリッカーブラシ。
【考案の詳細な説明】
【技術分野】
【０００１】  本考案は、犬、猫、ウサギ等の異なるペットの抜け毛やアンダーコートをピン先で確実に除去するための専用トリミングスリッカーブラシに関する。
【背景技術】
【０００２】  従来品は、ピン部材をただ、くの字に曲げただけの加工であったためどんなに強度を加えた高硬質部材を使用しても直ぐに、くの字部位がへたるため耐久性がなかった。【０００３】  本考案は、ピン部材の耐久性を持たせるための、くの字部位箇所に特殊プレス加工等を施すことで、くの字部位のへたれを無くすことを可能にした構造を特徴とする。【０００４】  本考案は、ピン部材が抜けぬ様に、ピン部材抜け防止板を設けることで、ピン部材が固定される構造を特徴としている。又は、接着剤等で固定することで抜け防止を可能にしている。
【考案の開示】
【考案が解決しようとする課題】
【０００５】  本考案は、ピン部材の先端を丸め加工を施すことで、ペットの皮膚，及び，被毛を痛める事無くトリミングできることを特徴としている。【０００６】  本考案は、プレス加工、及び、形成技術等の向上により容易に製作、及び、量産を可能にしている。
【課題を解決するための手段】
【０００７】  上述した課題を解決するために本考案は、図６のｂで示した箇所に特殊プレス加工を施した構造で解決をしている。【０００８】  図６のｃで示す箇所は、機械加工、及び、薬品加工等で丸みを施すことで可能にした構造を特徴としている。【０００９】  本考案は、形成部材等からなり技術、コスト面で実用的で量産化を可能にして、安価で経済的にも有効である。
【考案は、の効果】
【０００１０】  本考案のトリミング用スリッカーブラシは、頻度回数の多いトリマーはもとより一般家庭でも日常的に役立つものである。
【００１１】  従来品は、ピン部材のくの字に曲げた箇所が、すぐにへたって角度が変わたり、ピン部材が抜けたり等で、トリミング機能が失われた。  本考案は、何度、トリミングしてもその機能を失うことが無いことを特徴とした構造である。
【００１２】  本考案のスリッカーブラシはピン先を丸めたことで、トリミング時のブラシの通りを良くした構造が特徴である。
【考案を実施するための最良の形態】
【００１３】  本考案は犬、猫、ウサギ等、毛質及び、毛の長さ等、異なる種類のペットをトリミングすることを可能にし、安価で耐久性を持たせた構造を可能にしている。
【実施例】
【００１４】  本考案を添付図面に従って一実施を説明する。図１は、裏側から視た全体像を示し、図２は、ピン部材の、くの字部を示した使用例である。図３は、ピン部材の密植加工を施した図である。図４は、裏側取っ手部を示し、図５は、組み立て用の分解図を示す。図６は、ピン部材を解りやすくした拡大図を示し、図７は、Ａ−Ａ’の断面を示した図である。
【産業上の利用可能性】
【００１５】  本考案のスリッカーブラシは、一般家庭の使用者はもとより頻度回数の多いトリマー等の職人が使用する等、耐久性を向上させた製品として、産業の利用は大きいものである。
【図面の簡単な説明】
【００１６】
【図１】  本考案の一実施形態を示す裏面斜視図である。
【図２】  本考案の一実施形態を示す使用例である。
【図３】  本考案の一実施形態を示す密植加工を施した正面図である。
【図４】  本考案の一実施形態を示す裏面図である。
【図５】  本考案の一実施形態を示す分解図である。
【図６】  本考案の一実施形態を示すピン部材の拡大図である。
【図７】  本考案の一実施形態を示すＡ−Ａ’線断面図である。
【符号の説明】
【００１７】  １      本体
２      収納枠
３      取っ手
４      弾性部材
５      ピン部材抜け防止板
６      ステンレスピン部材
【図１】
0003182871.tif 000003
【図２】
0003182871.tif 000004
【図３】
0003182871.tif 000005
【図４】
0003182871.tif 000006
【図５】
0003182871.tif 000007
【図６】
0003182871.tif 000008
【図７】
0003182871.tif 000009
【手続補正書】
【提出日】平成24年11月21日(2012.11.21)
【手続補正１】
【補正対象書類名】実用新案登録請求の範囲
【補正対象項目名】全文
【補正方法】変更
【補正の内容】
【実用新案登録請求の範囲】
【請求項１】
犬、猫、及び、ウサギ等のペットトリミング用、及び、手入れ用品のブラッシングピン針部材に耐久を持たせるため、くの字に曲げた箇所の軸心を残し、左右を平たくなるように圧し所用の形状を施すために、プレス精密加工を要する構造を特徴とする密植加工からなるスリッカ―ブラシ。
【請求項２】
ブラッシングピン針部材の先端部位に丸み加工を施した部材からなる構造を特徴とする請求項１に記載のスリッカ―ブラシ。
【請求項３】
ブラッシングピン針部材が抜けぬように、抜け防止板を設けブラッシングピン針部材を固定する構造からなり、尚且つ、接着剤、又は、粘着テープ等を施しブラッシングピン針部材が抜けぬように固定することを特徴とする請求項１、及び、請求項２に記載のスリッカ―ブラシ。
【手続補正書】
【提出日】平成25年1月23日(2013.1.23)
【手続補正１】
【補正対象書類名】実用新案登録請求の範囲
【補正対象項目名】全文
【補正方法】変更
【補正の内容】
【実用新案登録請求の範囲】
【請求項１】
犬、猫、及び、ウサギ等のペットトリミング用、及び、手入れ用品のブラッシングピン針部材をくの字に曲げた箇所の耐久を持たせるため、くの字に曲げ箇所にリブ加工を施した構造を特徴とする密植加工からなるスリッカーブラシ。
【請求項２】
ブラッシングピン針部材の先端部位に丸み加工を施した部材からなる構造を特徴とする請求項１に記載のスリッカーブラシ。
【請求項３】
ブラッシングピン針部材が抜けぬように、抜け防止板を設けブラッシングピン針部材を固定する構造からなり、尚且つ、接着剤、又は、粘着テープ等を施しブラッシグピン針部材が抜けぬように固定することを特徴とする請求項１、及び、請求項２に記載のスリッカーブラシ。